(57)【要約】【課題】ビューファインダ画面が撮影者に対して様々な角度になっても、撮影者にとって撮影状態を確認しやすいビューファインダを提供することを目的とする。【解決手段】ビューファインダ１は、ビューファインダ１の画面の傾きを検出する傾き認識回路１２と映像の表示を調整する表示調整回路１１とを有している。ビューファインダ調整部２３は、傾き認識回路１２で検出された傾きのときに、ビューファインダ１に表示する映像領域サイズ設定と撮影状態表示設定とを表示設定記憶部２３４から取得して、表示調整回路１１に出力する。表示調整回路１１は、撮影処理部２２からカメラヘッド２における映像信号と撮影状態信号とを取得し、映像領域サイズ設定のサイズで映像を表示させると共に、モニタ領域と映像領域との間に、撮影状態表示設定の表示位置で撮影状態情報を表示させる。【選択図】図２
2010183426.tif 000002
【特許請求の範囲】
【請求項１】
カメラヘッドに対して姿勢調節可能に取り付けられ前記カメラヘッドの映像及び撮影状態情報を表示するビューファインダであって、
前記ビューファインダの画面の傾きを検出する傾き検出手段と、
検出された前記傾きに応じて、前記映像と前記撮影状態情報とを表示させる表示調整手段と、
を備えたことを特徴とするビューファインダ。
【発明の詳細な説明】
【技術分野】
【０００１】
本発明は、ビューファインダに係り、特に、カメラヘッドに対して姿勢調節可能に取り付けられるビューファインダに関する。
【背景技術】
【０００２】
従来、設置場所の都合上、直接カメラを通して撮影状態を確認しにくいカメラでは、カメラにモニタを接続して、接続されたモニタを介して撮影状態を確認することがあった。このようなモニタでは、撮影状態を確認するために様々な工夫が行われてきた。
【０００３】
例えば、モニタに画像拡大機能や画像合成機能を持たせ、モニタに表示されている現画像を拡大表示することで、カメラのフォーカス調整を容易にしたり、予め記録された基準画像と現画像とを合成して表示することで、基準画像を基準としてカメラの位置合わせやズーム倍率、アイリス等の設定を容易にしたりするテレビジョンモニタが知られている（特許文献１参照）。
【０００４】
特許文献１と同様に、被写体の位置に合わせて様々なアングルでの撮影を行うことが多い業務用カメラ装置は、直接カメラヘッドを通して撮影状態を確認しにくい。そのため、ビューファインダを介してカメラヘッドの様々なアングルの映像を確認できるようにしている。このビューファインダは、カメラヘッドのアングルを調整しながら映像を確認できるように、カメラヘッドに突出させて姿勢調節可能に取り付けられている。
【０００５】
図５は、従来のビューファインダ９１を撮影者側から見た面の一例である。ビューファインダ９１は、筐体９３内に映像を表示するモニタ領域９４を有しており、カメラヘッドで撮影している映像をモニタ領域９４内の映像領域９５に固定サイズで表示する。また、ビューファインダ９１の筐体９３には、ＬＥＤ表示部９２が設けられており、カメラヘッドでの撮影状態が所定の表示形態でＬＥＤ表示部９２に表示される。撮影者は、ビューファインダ９１の映像領域９５及びＬＥＤ表示部９２を見ることで、カメラヘッドの撮影状態を確認できる。
【先行技術文献】
【特許文献】
【０００６】
【特許文献１】特開2003-348408号公報
【発明の概要】
【発明が解決しようとする課題】
【０００７】
しかし、従来技術のように、単にカメラヘッドにビューファインダ９１を取り付けただけでは、撮影者に撮影状態を十分に確認させられない場合がある。
【０００８】
図６は、業務用カメラ装置の撮影アングル例を示す図であり、（ａ）はノーマルアングル例であり、（ｂ）はハイアングル例であり、（ｃ）はローアングル例である。図６における矢印の向きは、撮影者の視線であり、矢印の長さは撮影者とビューファインダ画面９４との距離である。角度θは、映像領域９５が基準とする所定の角度から傾いた大きさであり、図６では、映像領域９５が垂直の状態から傾いた大きさをθで表している。
【０００９】
例えば、図６（ａ）〜（ｃ）に示すように、様々なアングルで撮影すると、カメラヘッド９６の動きに応じて撮影者とビューファインダ画面９４との距離及び角度が一定でなくなり、ビューファインダ画面９４の位置によっては撮影者の場所から映像領域９５を確認しにくくなる場合があるからである。
【００１０】
具体的には、図７は、図６（ａ）のノーマルアングル例における撮影者の視野範囲と映像領域９５との関係を示した模式図である。図７に示すように、ノーマルアングルの撮影では、撮影者とビューファインダ画面９４との距離が近いために、撮影者の視野範囲に映像領域９５が収まらない虞がある。また、図６（ｂ）、（ｃ）では、ビューファインダ画面９４の角度によっては、撮影者から筐体９３に設けられたＬＥＤ表示部９２を確認できない虞がある。
【００１１】
本発明は上記課題に鑑みてなされたものであり、ビューファインダが様々な角度であっても、撮影者にとって撮影状態を確認しやすいビューファインダを提供することを目的とする。
【課題を解決するための手段】
【００１２】
本発明のビューファインダは、カメラヘッドに対して姿勢調節可能に取り付けられ前記カメラヘッドの映像及び撮影状態情報を表示するビューファインダであって、前記ビューファインダの画面の傾きを検出する傾き検出手段と、検出された前記傾きに応じて、前記映像と前記撮影状態情報とを表示させる表示調整手段と、を備えたことを特徴とする。
【発明の効果】
【００１３】
本発明は、ビューファインダ画面の角度によって映像と撮影状態情報との表示調整をするので、撮影者に最適な撮影状態を提供できる。
【図面の簡単な説明】
【００１４】
【図１】本発明の実施形態に係るカメラ装置のシステム系統の概略構成図である。
【図２】本発明の実施形態に係るカメラ装置の構成を示す機能ブロック図である。
【図３】本発明の実施形態に係るカメラ装置の映像領域サイズ設定と撮影状態表示設定との設定による表示例であって、（ａ）は、映像領域サイズ設定の設定による表示例であり、（ｂ）は、撮影状態表示設定の設定による表示例である。
【図４】本発明の実施形態に係るビューファインダの表示処理の流れを示すフローチャートである。
【図５】従来のビューファインダを撮影者側から見た面の一例である。
【図６】従来のカメラ装置の撮影アングル例を示す図であり、（ａ）はノーマルアングル例であり、（ｂ）はハイアングル例であり、（ｃ）はローアングル例である。
【図７】図６（ａ）のノーマルアングル例における撮影者の視野範囲と映像領域９５との関係を示した模式図である。
【発明を実施するための形態】
【００１５】
以下、図を参照して本発明の実施形態を詳細に説明する。
【００１６】
まず、図１を参照して、本発明におけるカメラ装置のシステム系統の概略構成を説明する。撮影スタジオには、姿勢調節可能に取り付けられたビューファインダ１を設けたカメラヘッド２が設置されている。カメラヘッド２は、被写体の位置に合わせてアングルを調整できるように構成されている。撮影者は、ビューファインダ１で被写体を確認しながらカメラヘッド２の位置を調整して撮影を行う。
【００１７】
カメラヘッド２で撮影された映像信号は、ケーブル６を介して、調整室に設置されたカメラコントロールユニット３に入力される。カメラコントロールユニット３に入力された映像信号は、ディスプレイ５へ出力されて表示される。リモートコントロールユニット４は、コントロール信号を出力し、ケーブル７、カメラコントロールユニット３、及びケーブル６を介して、撮影スタジオのカメラヘッド２を制御することもできる。
【００１８】
次に、図２を参照して、本発明におけるカメラ装置の構成を説明する。カメラ装置は、カメラヘッド２とカメラヘッド２に取り付けられたビューファインダ１とビューファインダ１の表示設定を変える選択スイッチ８とを備える。選択スイッチ８は、リモートコントロールユニット４で代用してもよい。
【００１９】
カメラヘッド２は、レンズ２１とレンズ２１からの像をビューファインダ１に表示させる処理を行う撮影処理部２２とビューファインダ１の表示状態を調整するビューファインダ調整部２３とを有する。ビューファインダ１は、ビューファインダ１の画面の傾きを検出する傾き認識回路１２とビューファインダ１のモニタ領域に表示を行う表示調整回路１１とを備えている。カメラヘッド２とビューファインダ１とは、相互に情報の授受を行えるように接続されている。
【００２０】
カメラヘッド２の撮影処理部２２は、レンズ２１により結像した光学像を映像信号に変換すると共に、撮影時のオートフォーカスや焦点距離、ホワイトバランス等の撮影状態情報を撮影状態信号に変換し、変換した映像信号と撮影状態信号とをビューファインダ１の表示調整回路１１に入力する。
【００２１】
ビューファインダ調整部２３は、設定判定部２３１と撮影状態表示選択部２３３と映像領域サイズ選択部２３２と表示設定記憶部２３４とを備えている。ビューファインダ調整部２３は、カメラヘッド２で撮影が行われている間、設定判定部２３１の設定に応じて、撮影状態表示選択部２３３及び映像領域サイズ選択部２３２に表示設定記憶部２３４からそれぞれ撮影状態表示設定及び映像領域サイズ設定を取得させ、取得した設定をビューファインダ１の表示調整回路１１に出力する。
【００２２】
設定判定部２３１は、選択スイッチ８によって、自動設定を“ＯＮ”又は“ＯＦＦ”に設定可能に構成されている。“ＯＮ”の設定は、ビューファインダ画面の傾きに応じてビューファインダ１での表示を自動的に調整するものであり、“ＯＦＦ”の設定は、ビューファインダ画面の傾きに関係なく予め設定されたデフォルト設定でビューファインダ１での表示を行うものである。設定判定部２３１は、自動設定が“ＯＮ”である場合、傾き認識回路１２から傾きを取得して撮影状態表示選択部２３３と映像領域サイズ選択部２３２とに出力し、自動設定が“ＯＦＦ”である場合、“ＯＦＦ”である旨を撮影状態表示選択部２３３と映像領域サイズ選択部２３２とに出力する。
【００２３】
撮影状態表示選択部２３３は、設定判定部２３１の設定に応じて表示設定記憶部２３４から撮影状態表示設定を取得して、ビューファインダ１の表示調整回路１１に出力する。
【００２４】
映像領域サイズ選択部２３２は、設定判定部２３１の設定に応じて表示設定記憶部２３４から映像領域サイズ設定を取得して、ビューファインダ１の表示調整回路１１に出力する。
【００２５】
表示設定記憶部２３４は、撮影状態表示設定と映像領域サイズ設定とを記憶している。図３を参照して、映像領域サイズ設定と撮影状態表示設定との設定による表示例を説明する。
【００２６】
映像領域サイズ設定は、図３（ａ）に示すように、モニタ領域５１に対してどれだけの大きさで映像領域５２を表示するか設定するものであり、映像領域５２の大きさがビューファインダ画面５１の傾き毎に設定されている。映像領域５２のサイズは、ビューファインダ画面５１の傾きが０であるときを最も小さくし、ビューファインダ画面５１の傾きが上又は下に傾くほど大きくするとよい。ビューファインダ画面５１の傾きが０であるということは、撮影者がビューファインダ画面５１を正面から確認している場合であり、撮影者とビューファインダ画面５１との距離が最も近くなるから、撮影者の視野に収まるように映像領域５２を小さくする必要がある。逆に、ビューファインダ画面５１が傾いているということは、撮影者がビューファインダ１を斜めにしてビューファインダ画面５１を確認している場合であり、撮影者とビューファインダ画面５１との距離が遠くなるから、確認しやすいように映像領域５２を大きくする必要がある。
【００２７】
撮影状態表示設定は、図３（ｂ）に示すように、モニタ領域５１と映像領域５２との隙間のどの位置に撮影状態情報を表示するか等の表示形態を設定するものであり、撮影状態情報をモニタ領域５１に表示する位置がビューファインダ画面５１の傾き毎に設定されている。モニタ領域５１と映像領域５２との隙間を撮影状態情報の表示場所とすることで、表示位置を簡易に変更することができるので、ビューファインダ画面５１の傾きに応じて撮影者の見やすい位置に撮影状態情報を表示させられる。なお、モニタ領域５１と映像領域５２との間に十分な表示スペースが取れない場合は、映像領域５２にＯＳＤ処理して撮影状態情報を表示してもよい。また、撮影状態情報の表示は、表示する位置だけでなく、表示する大きさ、色の濃淡等を設定できるようにしてもよい。
【００２８】
表示設定記憶部２３４には、撮影状態表示設定と映像領域サイズ設定とのそれぞれについて、ビューファインダ画面５１の傾きに関係なく一律な設定であるデフォルト設定が記憶されている。設定判定部２３１の設定が“ＯＮ”である場合、ビューファインダ画面５１の傾きに対応付けられた撮影状態表示設定と映像領域サイズ設定とが使用され、設定判定部２３１の設定が“ＯＦＦ”である場合、それぞれのデフォルト設定が使用される。これらの設定は、撮影者が自由に設定し直せるようにしてもよい。
【００２９】
表示調整回路１１は、映像領域サイズ調整回路１１１と撮影状態表示回路１１３と映像出力回路１１２とを備えており、撮影処理部２２とビューファインダ調整部２３とからの入力に基づいてモニタ領域５１に映像と撮影状態情報とを表示する。
【００３０】
映像領域サイズ調整回路１１１は、表示調整回路１１に入力された映像信号と映像領域サイズ設定とを取得し、映像領域サイズ設定のサイズの映像領域５２となるように映像信号を調整して、映像出力回路１１２に出力する。撮影状態表示回路１１３は、表示調整回路１１に入力された撮影状態信号と撮影状態表示設定とを取得し、撮影状態表示設定に合わせて撮影状態信号を出力に適した形式に変換して映像出力回路１１２に出力する。
【００３１】
映像出力回路１１２は、撮影状態表示回路１１３と映像領域サイズ表示調整回路１１とから出力された信号を表示可能なレベルまで増幅させて、モニタ領域５１に出力する。
【００３２】
その結果、ビューファインダ１のモニタ領域５１には、ビューファインダ画面５１の傾きに応じて調整されて又はデフォルト設定のままで、所定の映像領域サイズの映像及び撮影状態情報が表示されることになる。そのため、撮影者にとって常に最適な撮影状態を確保できる。
【００３３】
次に、図４を参照して、上記した本実施形態のフローの流れを説明する。本処理では、カメラヘッド２が撮影を継続中であるものとして説明する。
【００３４】
まず、ステップＡ１で、設定判定部２３１は、設定が“ＯＮ”であるか否かを判定する。設定判定部２３１は、設定が“ＯＮ”である場合、ステップＡ２に進み、傾き認識回路１２からビューファインダ画面５１の傾きを取得して、撮影状態表示選択部２３３と映像領域サイズ選択部２３２とに出力する。
【００３５】
ステップＡ３で、撮影状態表示選択部２３３は、取得した傾きに対応する撮影状態表示設定を表示設定記憶部２３４から取得し、表示調整回路１１に出力する。ステップＡ４に進み、映像領域サイズ選択部２３２は、取得した傾きに対応する撮影領域サイズ設定を表示設定記憶部２３４から取得し、表示調整回路１１に出力する。
【００３６】
ステップＡ５で、表示調整回路１１は、取得した映像領域サイズ設定に基づいてモニタ領域５１に映像領域サイズ設定のサイズで映像を表示する。ステップＡ６で、表示調整回路１１は、取得した撮影状態表示設定に基づいて撮影状態情報をモニタ領域５１と映像領域５２との間の撮影状態表示設定の表示位置に表示し、本処理を終了する。
【００３７】
一方、ステップＡ１で設定が“ＯＮ”でない場合、ステップＡ７に進み、設定判定部２３１は、撮影状態表示選択部２３３と映像領域サイズ選択部２３２とに設定が“ＯＦＦ”である旨を出力する。
【００３８】
ステップＡ８で、撮影状態表示選択部２３３は、表示設定記憶部２３４から撮影状態表示設定のデフォルト設定を取得し、表示調整回路１１に出力する。ステップＡ９に進み、映像領域サイズ選択部２３２は、撮影領域サイズ設定のデフォルト設定を表示設定記憶部２３４から取得し、表示調整回路１１に出力する。そして、上記ステップＡ５及びＡ６の処理を実行し、本処理を終了する。
【００３９】
以上説明した通り、本実施形態によれば、ビューファインダ画面５１の傾きに応じて自動的にモニタ領域５１の表示を調整するので、カメラヘッド２のアングルの変化によって、ビューファインダ画面５１と撮影者との角度が変わっても、撮影者にとって常に確認しやすい画面を提供できる。また、デフォルト設定を設けているので、ビューファインダ画面５１の傾きに関係なく、常に一定の画面で確認することも選べる。
【００４０】
なお、本実施形態では、ビューファインダ調整部２３をカメラヘッド２に設けたが、ビューファインダ１に設けてもよい。それにより、従来のカメラヘッド２の構成を変更することなく、ビューファインダ１を従来のカメラヘッド２に取り付けるだけで、本実施形態の効果を得られる。
【００４１】
また、撮影状態表示設定と映像領域サイズ設定との他に、映像輝度設定を表示設定記憶部２３４に記憶させてもよい。映像輝度設定では、撮影者とビューファインダ画面５１との距離が離れたときに画面を確認しやすくするために、ビューファインダ画面５１が傾くほど映像輝度を高く設定するとよい。逆に、ビューファインダ画面５１の傾きが０であるときは、撮影者とビューファインダ画面５１との距離が最も近くなるため、映像輝度を最も低く設定するとよい。
【００４２】
上記を概説すると、本発明は、カメラヘッドに対して姿勢調節可能に取り付けられ前記カメラヘッドの映像及び撮影状態情報を表示するビューファインダであって、前記ビューファインダの画面の傾きを検出する傾き検出手段と、検出された前記傾きに応じて、前記映像と前記撮影状態情報とを表示させる表示調整手段と、を備えたことを特徴とする。
【００４３】
また、前記表示手段は、予め記憶された前記映像を表示する映像領域のサイズと前記撮影状態情報の表示形態とに基づいて、前記映像と前記撮影状態情報とを表示させることを特徴とする。
また、前記表示調整手段は、前記傾きが０であるときの前記映像領域のサイズを最も小さくし、前記傾きが大きくなるほど前記映像領域のサイズを大きくして調整することを特徴とする。
また、前記表示調整手段は、前記傾きが０であるときの前記映像の輝度を最も低くし、前記傾きが大きくなるほど前記映像の輝度を高くして調整することを特徴とする。
また、前記表示調整手段に、前記傾きに関係なく予め記憶されたデフォルト設定で前記映像と前記撮影状態情報とを表示させる設定切換手段を備えることを特徴とする。
【００４４】
本発明は上述した実施の形態に限定されるものではなく、本発明の趣旨を逸脱しない範囲で種々様々に変更が可能であることは言うまでもない。
【産業上の利用可能性】
【００４５】
本発明は、姿勢調節可能にカメラに取り付けられたビューファインダに適用できる。
【符号の説明】
【００４６】
１，９１・・・ビューファインダ
１１・・・表示調整回路
１２・・・傾き認識回路
１１１・・映像領域サイズ調整回路
１１２・・映像出力回路
１１３・・撮影状態表示回路
２，９６・・・カメラヘッド
２１・・・レンズ
２２・・・撮影処理部
２３・・・ビューファインダ調整部
２３１・・設定判定部
２３２・・映像領域サイズ選択部
２３３・・撮影状態表示選択部
２３４・・表示設定記憶部
３・・・・カメラコントロールユニット
４・・・・リモートコントロールユニット
５・・・・ディスプレイ
５１，９４・・・モニタ領域（ビューファインダ画面）
５２，９５・・・映像領域
５３・・・撮影状態情報
６，７・・ケーブル
８・・・・選択スイッチ
９２・・・ＬＥＤ表示部
９３・・・筐体
【図１】
2010183426.tif 000003
【図２】
2010183426.tif 000004
【図３】
2010183426.tif 000005
【図４】
2010183426.tif 000006
【図５】
2010183426.tif 000007
【図６】
2010183426.tif 000008
【図７】
2010183426.tif 000009